(57)【要約】  吸引ジェットポンプ装置（１０）であって、吸引ジェットポンプ（１２）と、収集容器（２０）とを備える。吸引ジェットポンプ（１２）は、吸引ジェットポンプ（１２）に燃料駆動流を供給するための一次流体入口（１４）と、送出されるべき燃料を吸引ジェットポンプ（１２）に供給するための二次流体入口（１６）と、燃料を出力するための流体出口（１８）とを有する。収集容器（２０）は、流体出口の反対側で吸引ジェットポンプ（１２）の第１端部を取り囲んでいる。好ましくは、この収集容器は、吸引ジェットポンプ（１２）が収集容器（２０）の内容積部分（２２）から二次流体入口（１６）を介して燃料を吸引するように、一次流体入口（１４）を少なくとも３つの側から取り囲む。収集容器（２０）は、収集容器（２０）の外側から内容積部分（２２）に燃料を供給するための少なくとも１つの燃料入口開口（２４）を有する。【選択図】図１ｂ、図１ｄ
2021509459.tif 000002
【特許請求の範囲】
【請求項１】
吸引ジェットポンプ装置（１０）であって、
吸引ジェットポンプ（１２）であって、
当該吸引ジェットポンプ（１２）に燃料駆動流を供給するための一次流体入口（１４）と、
送出されるべき燃料を当該吸引ジェットポンプ（１２）に供給するための二次流体入口（１６）と、
前記燃料を排出するための流体出口（１８）と、
を有する吸引ジェットポンプ（１２）と、
収集容器（２０）であって、
前記吸引ジェットポンプ（１２）が当該収集容器（２２）の内容積部分（２２）から前記二次流体入口（１６）を介して燃料を吸引するように、前記流体出口の反対側にある前記吸引ジェットポンプ（１２）の第１端部を少なくとも３つの側から取り囲む収集容器（２０）と
を備え、
前記収集容器（２０）は、前記収集容器（２２）の外側から前記内容積部分（２２）に燃料を供給するための少なくとも１つの燃料入口開口（２４）を有する
ことを特徴とする吸引ジェットポンプ装置。
【請求項２】
請求項１に記載の吸引ジェットポンプ装置（１０）であって、
前記収集容器の前記燃料入口開口（２４）は、前記吸引ジェットポンプ（１２）の前記二次流体入口（１６）よりも低いところに配置される
ことを特徴とする吸引ジェットポンプ装置。
【請求項３】
請求項１に記載の吸引ジェットポンプ装置（１０）であって、
前記収集容器（２０）の部分であって、前記一次流体入口（１４）を取り囲む部分（２５）は、上から見るとＵ字形の断面を有する
ことを特徴とする吸引ジェットポンプ装置。
【請求項４】
請求項３に記載の吸引ジェットポンプ装置（１０）であって、
前記収集容器（２０）の前記Ｕ字形部分（２５）を形成する２つの側壁（２８ａ、２８ｂ）の上縁は、それらの最も高い箇所が前記Ｕ字形部分（２５）の背面壁（２６）に位置する傾斜した形状を有する
ことを特徴とする吸引ジェットポンプ装置。
【請求項５】
請求項３に記載の吸引ジェットポンプ装置（１０）であって、
前記収集容器（２０）は、前記第１Ｕ字形部分（２５）に対して９０°の角度に配置される第２Ｕ字形部分（３０）を有し、
前記第２Ｕ字形部分（３０）の１つの側壁（３４）は、前記第１Ｕ字形部分（２５）の１つの側壁（２８ａ）に接続される
ことを特徴とする吸引ジェットポンプ装置。
【請求項６】
請求項５に記載の吸引ジェットポンプ装置（１０）であって、
前記収集容器（２０）の前記第２Ｕ字形部分（３０）の２つの側壁（３４ａ、３４ｂ）の上縁は、それらの最も高い箇所が前記第２Ｕ字形部分（３０）の背面壁（３２）に位置する傾斜した形状を有する
ことを特徴とする吸引ジェットポンプ装置。
【請求項７】
請求項４に記載の吸引ジェットポンプ装置（１０）であって、
前記収集容器（２０）の前記第１Ｕ字形部分（２５）の前記側壁（２８ａ、２８ｂ）は、前記二次流体入口（１６）を越えて延在しており、
前記側壁により、前記二次流体入口（１６）の領域内に燃料を保持できる
ことを特徴とする吸引ジェットポンプ装置。
【請求項８】
請求項４に記載の吸引ジェットポンプ装置（１０）であって、
前記収集容器（２０）の前記第１Ｕ字形部分（２５）及び第２Ｕ字形部分（３０）のうちの少なくとも一方の前記傾斜縁は、前記吸引ジェットポンプ（１２）の下辺に対して少なくとも３０°〜４０°の角度にて傾斜している
ことを特徴とする吸引ジェットポンプ装置。
【請求項９】
請求項１に記載の吸引ジェットポンプ装置（１０）であって、
前記収集容器（２０）は、上から見ると螺旋形を有する
ことを特徴とする吸引ジェットポンプ装置。
【請求項１０】
請求項９に記載の吸引ジェットポンプ装置（１０）であって、
前記螺旋形の収集容器（２０）の外壁のうちの少なくとも１つは、前記収集容器（２０）の前記外側から前記内容積部分（２２）に燃料を供給するための前記少なくとも１つの燃料入口開口（２４）を有する
ことを特徴とする吸引ジェットポンプ装置。
【請求項１１】
請求項１に記載の吸引ジェットポンプ装置（１０）であって、
前記収集容器は、前記吸引ジェットポンプ（１２）の前記一次流体入口（１４）を取り囲む
ことを特徴とする吸引ジェットポンプ装置。
【請求項１２】
請求項４に記載の吸引ジェットポンプ装置（１０）であって、
前記収集容器（２０）の前記第２Ｕ字形部分（３０）の前記背面壁（３２）が前記二次流体入口（２６）を越えて延在しており、
前記背面壁（３２）により、前記二次流体入口（１６）の前記領域内に燃料を保持できる
ことを特徴とする吸引ジェットポンプ装置。
【請求項１３】
請求項９に記載の吸引ジェットポンプ装置（１０）であって、
前記収集容器（２０）は、前記螺旋形が前記吸引ジェットポンプ（１２）の周りで少なくとも４５０°まで延在するように前記吸引ジェットポンプ（１２）を取り囲む
ことを特徴とする吸引ジェットポンプ装置。
【請求項１４】
請求項１に記載の吸引ジェットポンプ装置（１０）であって、
前記収集容器（２０）は、上から見るとカタツムリ形を有する
ことを特徴とする吸引ジェットポンプ装置。
【発明の詳細な説明】
【技術分野】
【０００１】
本開示は吸引ジェットポンプ装置に関する。
【０００２】
（関連出願の相互参照）
本特許文献は、２０１７年１２月２９日に出願された「吸引ジェットポンプ装置」と題する欧州特許出願第１７２１１１２９．６号の利益及び優先権を主張するものであり、その全内容が引用により本願明細書に組み込まれるものとする。
【背景技術】
【０００３】
自動車の燃料タンク内部に燃料を送出するために吸引ジェットポンプを利用することは周知である。図４は、先行技術の中から周知の代表的な装置を示している。この装置では、タンク１００がメイン側１０２とサブ側１０４とを有している。燃料タンク１００のメイン側１０２内には、内燃エンジンに燃料を送出するための燃料ポンプ１０６が配置されている。サブ側１０４のタンク底部１０８には、サブ側１０４からメイン側１０２に燃料を送出するために、ジェットポンプ１２が配置されている。
【０００４】
ジェットポンプ１２を駆動するために、メイン燃料ポンプ１０６は、燃料を、供給路を通して、特定の圧力で吸引ジェットポンプ１２に送出する。吸引ジェットポンプ１２は、ベンチュリの原理により、サブ側１０４から燃料を吸引し、この燃料を再循環路を使用してメイン側１０２に送出する。ジェットポンプ１２は、サブ側１０４内に燃料が貯蔵いるかサブ側が空であるかを問わず、常に作動している。
【０００５】
燃料タンクの燃料の水位が低くなってくると、サブ側１０４はほぼ空である。それは、残りの燃料のほとんどがジェットポンプ１２によりメイン側１０２に既に送出されてしまっているからである。しかしながら、燃料ポンプ１０６は、依然として、燃料を供給路を通してジェットポンプ１２に送出している。サブ側１０４内には燃料が残っていない又は最小限の燃料しか残っていないので、ジェットポンプ１２は空転することがあり、特に、自動車が傾いた位置のとき又は加速中（スピードアップ中、ブレーキ中又はコーナリング中）に空転する。
【０００６】
供給路からの燃料がジェットポンプ１２を通してサブ側１０４に逃げてしまいこれによって無駄が発生し得るということを本発明者らは発見した。これにより、燃料容器内には主要ポンプモジュール１０６が配置されているが、燃料容器はより速く空になる。
【０００７】
異なる運転状況に対して貯蔵性が向上した吸引ジェットポンプ装置を提供し、ジェットポンプによる無駄を回避することが本開示の目的である。
【発明の概要】
【課題を解決するための手段】
【０００８】
本開示は、吸引ジェットポンプ装置に関する。この吸引ジェットポンプ装置は、吸引ジェットポンプに燃料駆動流を供給するための一次流体入口と、送出されるべき燃料を吸引ジェットポンプに供給するための二次流体入口と、燃料を排出するための流体出口とを有する吸引ジェットポンプを備える。吸引ジェットポンプの主な機能は、先行技術により知られているため、より詳細には記載しない。
【０００９】
吸引ジェットポンプ装置は、吸引ジェットポンプの第１端部を取り囲む収集容器を更に備え、この第１端部は吸引ジェットポンプの流体出口の反対側に配置される。特に、収集容器は、流体出口の反対側に配置可能な一次流体入口を取り囲む。吸引ジェットポンプの第１端部又は一次流体入口は、少なくとも３つの側から取り囲まれ、吸引ジェットポンプは、収集容器の内容積部分から二次流体入口を介して燃料を吸引する。
【００１０】
収集容器は、収集容器の外側から内容積部分へ燃料を供給するための少なくとも１つの燃料入口開口を有する。
【００１１】
この収集容器は、燃料の無駄、即ち、吸引ジェットポンプを通って供給路から戻り得る燃料を減らすのに役立つ。このことは特に、吸引ジェットポンプの流体出口から流体を排出するために加速に打ち勝たねばならない運転状況に関係がある。このような加速は、例えば流体出口が二次流体入口よりも測地学的に高いところに配置される際に発生することがある。更に、このような加速は、自動車の速いコーナリング中又は加速中に発生することがあり、吸引ジェットポンプは、この加速力に逆らって燃料を流体出口に送出しようとする。ここでの問題は、吸引ジェットポンプの一次流体入口に接続され得る供給路を通して吸引ジェットポンプに供給される圧力が、この加速に打ち勝って流体出口を通して燃料を適正に送出するのに必要である圧力差に到達できないことである。
【００１２】
収集容器内で、或る量の燃料（例えば５〜１０ｍｌの燃料とすることができる）を保持することにより、一次流体入口を介して吸引ジェットポンプに供給される圧力が打ち勝たねばならない圧力差を低減することができる。これにより、燃料が吸引ジェットポンプを通って間違った方向へ逆流することは全くなく、吸引ジェットポンプは、流体出口を通して燃料を適正に送出することができる。これによって、特別な運転状況において、燃料の無駄を減らすことができる。
【００１３】
ある形態においては、収集容器の燃料入口開口は、吸引ジェットポンプの二次流体入口よりも低いところに配置される。これによって、吸引ジェットポンプがタンクの底部から燃料を吸引する水位は高くならない。
【００１４】
収集容器の部分であって、流体出口の反対側にある一次流体入口を取り囲む又は吸引ジェットポンプの第１端部を取り囲む部分は、上から見るとＵ字形の断面を有することが好ましい。
【００１５】
これは、最も厳しい運転状況において燃料の無駄を減らすことが十分可能な、進歩性を有する収集容器の一実施形態である。というのも、流体出口と比較すると二次流体入口が測地学的に見て最も低い位置にあればこのような収集容器によりこの二次流体入口の領域内で燃料が保持され得るため、一次流体入口により吸引ジェットポンプに供給される圧力が打ち勝たねばならない圧力差が最大になるからである。この最も厳しい運転状況において、一次流体入口及び二次流体入口を取り囲むＵ字形の収集容器を使用することで、上で説明したように打ち勝たばならない圧力差を低減可能とすることが十分可能となる。
【００１６】
ある形態においては、収集容器のＵ字形部分の２つの側壁の上縁は、それらの最も高い箇所がＵ字形部分の背面壁に位置する傾斜した形状を有する。この特徴により、射出成型工程等において収集容器を製造するのに必要となる材料の量を減らすことが可能となる。また、収集容器のＵ字形部分の２つの側壁は、水平に延在する必要はない。これは、流体出口に向かう方向であって、吸引ジェットポンプの燃料送出方向とは反対の方向への加速力があることにより、流体の水位が流体出口から離れる方向に上昇するためである。例えば、加速が１ｇである場合、流体の水位は、吸引ジェットポンプの流体出口から離れる方向に４５°の角度にて上昇することになる。この特徴を、図を参照して、より詳細に記載する。
【００１７】
別の形態においては、収集容器は、第１Ｕ字形部分に対して９０°の角度に配置される第２Ｕ字形部分を有し、第２Ｕ字形部分の１つの側壁は、第１Ｕ字形部分の１つの側壁に接続される。この特徴により、（例えば、重大ではないがそれなりに燃料の無駄が生じ得る運転状況において）他の方向への加速力を補償することができる。
【００１８】
この形態において、収集容器の第２Ｕ字形部分の２つの側壁の上縁は、それらの最も高い箇所が第２Ｕ字形部分の背面壁に位置する傾斜した形状を有することが好ましい。
【００１９】
収集容器の第１Ｕ字形部分の側壁は、二次流体入口を越えて延在しており、これらの側壁により、二次流体入口の領域内に燃料を保持できることが好ましい。これに対する別の方法として又はこれに加えて、収集容器の第２Ｕ字形部分の背面壁が二次流体入口を越えて延在するできるため、この背面壁により、この二次流体入口の領域内に流体を保持することができる。換言すれば、収集容器が吸引ジェットポンプを完全に取り囲む必要はない。難しい運転状況において燃料をこの領域内に保持できるように収集容器が二次流体入口の領域まで延在していれば十分である。
【００２０】
収集容器の第１Ｕ字形部分及び第２Ｕ字形部分の少なくとも一方の傾斜縁は、吸引ジェットポンプの下側と比較すると、好ましくは少なくとも３０°の角度にて傾斜し、より好ましくは少なくとも３５°の角度にて傾斜し、最も好ましくは少なくとも４０°の角度にて傾斜している。上で述べたように、１ｇまでの加速を補償するには、４５°の角度で十分とすることができ、これにより、ほとんどの運転状況において燃料の無駄を低減するのに役立つ。実際、本出願者により実施された試験では、吸引ジェットポンプの燃料の無駄を低減するのにより一層低い角度を使用できることが示された。
【００２１】
ある形態においては、収集容器は、上から見るとカタツムリ形又は螺旋形を有し、収集容器は、吸引ジェットポンプを、好ましくは少なくとも４５０°で取り囲む。換言すれば、収集容器は、上から見るとラビリンスの形状を有し、これによって、決定的な運転状況において燃料が二次流体入口の周りの領域から出てしまうことが防止される。
【００２２】
この実施形態において、カタツムリ形の又は螺旋形の収集容器の外壁のうちの少なくとも１つが、収集容器の外側から（即ちタンクの容積部分から）内容積部分に燃料を供給するための少なくとも１つの燃料入口開口を含むことが好適である。
【００２３】
以下で、本開示の好適な実施形態を、図を参照して説明する。
【図面の簡単な説明】
【００２４】
【図１】図１ａ〜図１ｄは、本開示の第１実施形態を示す。
【図２】図２ａ〜図２ｂは、本開示の第２実施形態を示す。
【図３】図３ａ〜図３ｃは、本開示の第２実施形態を示す。
【図４】先行技術の中から、周知の吸引ジェットポンプを備えた燃料タンクを示す。
【発明を実施するための形態】
【００２５】
図４は本願の導入部において既に記載した。
【００２６】
図４に示すような燃料タンク１００のサブ側１０４の吸引ジェットポンプ１２用に、進歩性を有する吸引ジェットポンプ装置を使用することができる。吸引ジェットポンプ１２は、サクションジェットポンプとして知られているものであってもよい。
【００２７】
図１ａ〜図１ｄに、収集容器２０の簡易な実施形態を示す。この収集容器２０は、上から見るとＵ字形の断面を有する。収集容器２０が吸引ジェットポンプ１２の一次流体入口１４を囲んでおり、収集容器２０の側壁２８ａ、２８ｂが二次流体入口１６の領域を越えて延在している。このため、これらの側壁により、流体をこの領域内に保持することができる。
【００２８】
収集容器２０のＵ字形部分２５の２つの側壁２８ａ、２８ｂは傾斜した形状を有しており、その最も高い箇所はＵ字形部分２５の背面壁２６に位置する。好ましくは、側壁２８ａ、２８ｂの傾斜縁は、吸引ジェットポンプの下辺（即ちタンク底部の平面）に対して少なくとも４０°の角度にて傾斜している。側壁２８ａ、２８ｂの最も高い箇所は、Ｕ字形部分２５の背面壁２６にある。
【００２９】
この反対側に、収集容器は燃料入口開口２４を有し、これは、燃料を収集容器２０の外側から内容積部分２２に供給するためのものである。
【００３０】
二次流体入口１６を囲む格子型の構成要素は、大きめの物体がこの流体入口１６に入ることを回避するためのフィルタとして働く。
【００３１】
図１ａ〜図１ｄに示す収集容器２０とは対照的に、図１ｄの収集容器２０は、第１Ｕ字形部分に対して９０°の角度に配置される第２Ｕ字形部分３０を有する。これにより、第２Ｕ字形部分３０の１つの側壁３４ａが、第１Ｕ字形部分２５の１つの側壁２８ａに接続している。少なくとも、収集容器２０の第２Ｕ字形部分３０の１つの上縁３４ｂは、傾斜した形状を有し、その最も高い箇所は第２Ｕ字形部分３０の背面３２に位置してもよい。この第２Ｕ字形部分３０により、吸引ジェットポンプ１２における燃料の無駄をより多くの運転状況において防止可能なように、第２方向への加速力を補償することができる。
【００３２】
図２ａ〜図２ｂに、本発明の第２実施形態を示す。ここでは、収集容器２０は、上から見るとカタツムリ形又は螺旋形を有し、それによって、収集容器２０は、吸引ジェットポンプ１２を少なくとも４５０°まで延在するように取り囲む。従って、図２ｂで最もよく分かるように、収集容器２０はラビリンス形状を有し、これによって、燃料が収集容器２０の内部から逃げることが防止される。
【００３３】
図２ｂで分かるように、収集容器２０は、収集容器２０の外側から内容積部分２２に燃料を供給するための少なくとも２つの燃料入口開口２４を有する。
【００３４】
図３ａ〜図３ｃに、幾つかの代表的な運転状況を示す。例えば、速いコーナリング中、図３ａに示すように、燃料が収集容器２０の第１Ｕ字形部分２５の背面壁２６に押し付けられる。加速力は吸引ジェットポンプ１２が流体出口１８を通して燃料を送出する方向に逆らう向きであることから、これを最も厳しい運転状況とすることができる。従って、この重要な運転状況では、燃料が収集容器２０の第１Ｕ字形部分２５の背面壁２６を越えて逃げることを防止することが重要である。このため、その第１Ｕ字形部分２５はその最も高い箇所が背面２６に位置し、それによって、側壁２８ａ、２８ｂは、それらの最も高い箇所が第１Ｕ字形部分２５の背面２６にある傾斜した形状を有する。上で説明したように、タンク底部の平面と側壁２８ａの上縁との間に約４５°である角度を使用することにより、１ｇまでの加速力を補償することができる。
【００３５】
図３ｂ及び図３ｃには、加速又は減速中に生じ得る加速力を、図３ａに対して垂直な方向において示す。
【図１ａ】
2021509459.tif 000003
【図１ｂ】
2021509459.tif 000004
【図１ｃ】
2021509459.tif 000005
【図１ｄ】
2021509459.tif 000006
【図２ａ】
2021509459.tif 000007
【図２ｂ】
2021509459.tif 000008
【図３ａ】
2021509459.tif 000009
【図３ｂ】
2021509459.tif 000010
【図３ｃ】
2021509459.tif 000011
【図４】
2021509459.tif 000012
【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
吸引ジェットポンプ装置（１０）であって、
吸引ジェットポンプ（１２）であって、
当該吸引ジェットポンプ（１２）に燃料駆動流を供給するための一次流体入口（１４）と、
送出されるべき燃料を当該吸引ジェットポンプ（１２）に供給するための二次流体入口（１６）と、
前記燃料を排出するための流体出口（１８）と、
を有する吸引ジェットポンプ（１２）と、
収集容器（２０）であって、
前記吸引ジェットポンプ（１２）が当該収集容器（２２）の内容積部分（２２）から前記二次流体入口（１６）を介して燃料を吸引するように、前記流体出口の反対側にある前記吸引ジェットポンプ（１２）の第１端部を少なくとも３つの側から取り囲む収集容器（２０）と
を備え、
前記収集容器（２０）は、前記収集容器（２２）の外側から前記内容積部分（２２）に燃料を供給するための少なくとも１つの燃料入口開口（２４）を有し、
前記収集容器（２０）の部分であって、前記一次流体入口（１４）を取り囲む部分（２５）は、上から見るとＵ字形の断面を有し、
前記収集容器（２０）の前記Ｕ字形部分（２５）を形成する２つの側壁（２８ａ、２８ｂ）の上縁は、それらの最も高い箇所が前記Ｕ字形部分（２５）の背面壁（２６）に位置する傾斜した形状を有する
ことを特徴とする吸引ジェットポンプ装置。
【請求項２】
請求項１に記載の吸引ジェットポンプ装置（１０）であって、
前記収集容器の前記燃料入口開口（２４）は、前記吸引ジェットポンプ（１２）の前記二次流体入口（１６）よりも低いところに配置される
ことを特徴とする吸引ジェットポンプ装置。
【請求項３】
請求項１に記載の吸引ジェットポンプ装置（１０）であって、
前記収集容器（２０）は、前記第１Ｕ字形部分（２５）に対して９０°の角度に配置される第２Ｕ字形部分（３０）を有し、
前記第２Ｕ字形部分（３０）の１つの側壁（３４）は、前記第１Ｕ字形部分（２５）の１つの側壁（２８ａ）に接続される
ことを特徴とする吸引ジェットポンプ装置。
【請求項４】
請求項３に記載の吸引ジェットポンプ装置（１０）であって、
前記収集容器（２０）の前記第２Ｕ字形部分（３０）の２つの側壁（３４ａ、３４ｂ）の上縁は、それらの最も高い箇所が前記第２Ｕ字形部分（３０）の背面壁（３２）に位置する傾斜した形状を有する
ことを特徴とする吸引ジェットポンプ装置。
【請求項５】
請求項１に記載の吸引ジェットポンプ装置（１０）であって、
前記収集容器（２０）の前記第１Ｕ字形部分（２５）の前記側壁（２８ａ、２８ｂ）は、前記二次流体入口（１６）を越えて延在しており、
前記側壁により、前記二次流体入口（１６）の領域内に燃料を保持できる
ことを特徴とする吸引ジェットポンプ装置。
【請求項６】
請求項１に記載の吸引ジェットポンプ装置（１０）であって、
前記収集容器（２０）の前記第１Ｕ字形部分（２５）及び第２Ｕ字形部分（３０）のうちの少なくとも一方の前記傾斜縁は、前記吸引ジェットポンプ（１２）の下辺に対して少なくとも３０°〜４０°の角度にて傾斜している
ことを特徴とする吸引ジェットポンプ装置。
【請求項７】
請求項１に記載の吸引ジェットポンプ装置（１０）であって、
前記収集容器（２０）は、上から見ると螺旋形を有する
ことを特徴とする吸引ジェットポンプ装置。
【請求項８】
請求項７に記載の吸引ジェットポンプ装置（１０）であって、
前記螺旋形の収集容器（２０）の外壁のうちの少なくとも１つは、前記収集容器（２０）の前記外側から前記内容積部分（２２）に燃料を供給するための前記少なくとも１つの燃料入口開口（２４）を有する
ことを特徴とする吸引ジェットポンプ装置。
【請求項９】
請求項１に記載の吸引ジェットポンプ装置（１０）であって、
前記収集容器は、前記吸引ジェットポンプ（１２）の前記一次流体入口（１４）を取り囲む
ことを特徴とする吸引ジェットポンプ装置。
【請求項１０】
請求項１に記載の吸引ジェットポンプ装置（１０）であって、
前記収集容器（２０）の前記第２Ｕ字形部分（３０）の前記背面壁（３２）が前記二次流体入口（２６）を越えて延在しており、
前記背面壁（３２）により、前記二次流体入口（１６）の前記領域内に燃料を保持できる
ことを特徴とする吸引ジェットポンプ装置。
【請求項１１】
請求項７に記載の吸引ジェットポンプ装置（１０）であって、
前記収集容器（２０）は、前記螺旋形が前記吸引ジェットポンプ（１２）の周りで少なくとも４５０°まで延在するように前記吸引ジェットポンプ（１２）を取り囲む
ことを特徴とする吸引ジェットポンプ装置。
【請求項１２】
請求項１に記載の吸引ジェットポンプ装置（１０）であって、
前記収集容器（２０）は、上から見るとカタツムリ形を有する
ことを特徴とする吸引ジェットポンプ装置。
【国際調査報告】
2021509459.tif 000013
2021509459.tif 000014